【手続補正書】
【提出日】平成26年11月26日(2014.11.26)
【手続補正１】
【補正対象書類名】明細書
【補正対象項目名】００５６
【補正方法】変更
【補正の内容】
【００５６】
本発明の具体的な実施形態を本明細書中に示し及び説明してきたが、これら実施形態は多くの考えられる具体的な構成を単に例示しているにすぎず、構成は本発明の原理を適用して考案され得ることは理解されよう。これらの原理に従って、当業者は、本発明の趣旨及び範囲から逸脱することなく、多数の様々な他の構成を考案することができる。したがって本発明の範囲は、本願に記載の構造に限定されるべきものではなく、特許請求の範囲の文言により述べられる構造及びそうした構造の均等物によってのみ限定されるものである。本発明の実施態様の一部を以下の項目［１］−［３７］に記載する。
[１]
上面及び下面を有するヒドロゲルと、
前記ヒドロゲルの前記上面を覆うフィルムと、
前記ヒドロゲルの前記下面を剥離可能に覆うベースシートと、
前記上面から前記下面に至るヒドロゲル及び前記フィルムに設けた開口と、
を含み、前記ベースシートが前記ヒドロゲルを超えて延在しタブを形成する、医療用ドレッシング。
[２]
前記ヒドロゲルが抗微生物剤である、項目１に記載の医療用ドレッシング。
[３]
前記ヒドロゲルが吸収性である、項目１に記載の医療用ドレッシング。
[４]
複数の開口を更に含む、項目１に記載の医療用ドレッシング。
[５]
前記ヒドロゲルの前記開口位置にある側壁がフィルムで覆われている、項目１に記載の医療用ドレッシング。
[６]
前記ヒドロゲルの前記開口位置にある側壁が、脱粘着性である、項目１に記載の医療用ドレッシング。
[７]
前記開口が、前記ヒドロゲルの外周から前記ヒドロゲルに入り込むスリットである、項目１に記載の医療用ドレッシング。
[８]
前記開口がヒドロゲルによって完全に取り囲まれている、項目１に記載の医療用ドレッシング。
[９]
前記開口が保持具によって開いた状態を保持されている、項目１に記載の医療用ドレッシング。
[１０]
前記保持具が、該開口の本体に貫通穴を形成する壁である、項目９に記載の医療用ドレッシング。
[１１]
前記保持具が前記ヒドロゲルから除去可能である、項目９に記載の医療用ドレッシング。
[１２]
前記保持具が前記ベースシートに接続され、前記ベースシートが前記ヒドロゲルの本体から除去可能であり、前記保持具を除去して前記ヒドロゲルに前記開口を形成する、項目１１に記載の医療用ドレッシング。
[１３]
前記ヒドロゲルの反対側に、前記フィルムに剥離可能に固定された担体層を更に含む、項目１に記載の医療用ドレッシング。
[１４]
前記フィルムの一部が前記ヒドロゲルの外周を超えて延在する、項目１に記載の医療用ドレッシング。
[１５]
前記ヒドロゲルの上の前記フィルムが接着剤を含まず、前記フィルムの前記ヒドロゲルの前記外周を超えて延在する部分が接着剤を含む、項目１４に記載の医療用ドレッシング。
[１６]
前記フィルムの前記ヒドロゲルの前記外周を超えて延在する前記部分が、多層複合体を含む、項目１５に記載の医療用ドレッシング。
[１７]
前記開口が、前記フィルム、ヒドロゲル、及びベースシートにある、項目１に記載の医療用ドレッシング。
[１８]
前記ベースシートの前記タブが、前記ベースシートの前記ヒドロゲルを覆う部分に対して折り畳み可能である、項目１に記載の医療用ドレッシング。
[１９]
前記タブが前記ベースシートの前記ヒドロゲルを覆う部分に対して折り畳まれているとき、前記タブが前記ヒドロゲルを超えて延在する、項目１８に記載の医療用ドレッシング。
[２０]
連続的な切れ目が前記タブの一部を貫通して前記ヒドロゲルを覆う前記ベースシートの一部に至り、これにより、前記タブを前記ベースシートの前記ヒドロゲルを覆う部分に折り畳んだときに、この切れ目が前記開口に一致する、項目１８に記載の医療用ドレッシング。
[２１]
前記切れ目が前記ベースシートの折った部分にある、項目２０に記載の医療用ドレッシング。
[２２]
前記タブが前記ベースシートの前記ヒドロゲルを覆う部分に折り畳まれているときに、前記タブが前記折った部分及び切れ目の反対側にある、項目２１に記載の医療用ドレッシング。
[２３]
第２及び第３のタブを更に含み、該第２及び第３のタブのそれぞれが、前記折った部分及び切れ目に対して垂直であり、かつ互いに反対側に位置する、項目２２に記載の医療用ドレッシング。
[２４]
前記ヒドロゲルの前記下面の外周にサポートフィルムを更に含む、項目１に記載の医療用ドレッシング。
[２５]
前記医療用ドレッシングの上に配置するために、接着剤のない中央部分を取り囲む境界に接着剤を有するカバードレッシングを更に含む、項目１に記載の医療用ドレッシング。
[２６]
ヒドロゲルに固定した第１シートを提供する工程と、
前記ヒドロゲルにピンを通して前記ヒドロゲルに開口を形成する工程とを含み、前記ピンは、前記第１シートに固定され、前記ヒドロゲルから除去可能である、有開口ヒドロゲルの作製方法。
[２７]
前記第１シート及びピンを前記ヒドロゲルから除去して、前記ヒドロゲルの前記開口位置に貫通穴を形成する工程を更に含む、項目２６に記載の方法。
[２８]
前記ヒドロゲルを皮膚に固定する工程と、
針を前記貫通穴及び皮膚に通す工程と、を更に含む、項目２７に記載の方法。
[２９]
前記ヒドロゲルに固定された第２のシートを提供する工程を更に含む、項目２６に記載の方法。
[３０]
前記第２シートが、前記ヒドロゲルを表面に固定するための接着剤面を含む、項目２９に記載の方法。
[３１]
上面及び下面を有する本体と、
該上面から該下面に至る該本体内の開口とを有し、前記開口が保持具によって提供されている、ヒドロゲル。
[３２]
複数の開口を更に含み、各開口が保持具によって開いた状態を保持されている、項目３１に記載のヒドロゲル。
[３３]
前記保持具が、前記開口の前記本体に貫通穴を形成する前記開口にある壁である、項目３１に記載のヒドロゲル。
[３４]
前記保持具が前記本体から除去可能である、項目３１に記載のヒドロゲル。
[３５]
前記保持具の除去によって、前記本体内の前記開口位置に貫通穴を形成する、項目３４に記載のヒドロゲル。
[３６]
前記保持具がベースシートに接続され、前記ベースシートは前記ヒドロゲルの前記本体から除去可能であり、該保持具を除去して前記本体内の前記開口位置に貫通穴を形成する、項目３４に記載のヒドロゲル。
[３７]
前記本体の前記上面がフィルムで覆われている、項目３１に記載のヒドロゲル。
【手続補正２】
【補正対象書類名】特許請求の範囲
【補正対象項目名】全文
【補正方法】変更
【補正の内容】
【特許請求の範囲】
【請求項１】
上面及び下面を有するヒドロゲルと、
前記ヒドロゲルの前記上面を覆うフィルムと、
前記ヒドロゲルの前記下面を剥離可能に覆うベースシートと、
前記上面から前記下面に至るヒドロゲル及び前記フィルムに設けた開口と、
を含み、前記ベースシートが前記ヒドロゲルを超えて延在しタブを形成する、医療用ドレッシング。
【請求項２】
前記開口が、前記ヒドロゲルの外周から前記ヒドロゲルに入り込むスリットである、請求項１に記載の医療用ドレッシング。
【請求項３】
前記ベースシートの前記タブが、前記ベースシートの前記ヒドロゲルを覆う部分に対して折り畳み可能である、請求項１に記載の医療用ドレッシング。
【請求項４】
前記タブが前記ベースシートの前記ヒドロゲルを覆う部分に対して折り畳まれているとき、前記タブが前記ヒドロゲルを超えて延在する、請求項３に記載の医療用ドレッシング。
【請求項５】
連続的な切れ目が前記タブの一部を貫通して前記ヒドロゲルを覆う前記ベースシートの一部に至り、これにより、前記タブを前記ベースシートの前記ヒドロゲルを覆う部分に折り畳んだときに、この切れ目が前記開口に一致する、請求項３に記載の医療用ドレッシング。
【請求項６】
前記切れ目が前記ベースシートの折った部分にある、請求項５に記載の医療用ドレッシング。
【請求項７】
前記タブが前記ベースシートの前記ヒドロゲルを覆う部分に折り畳まれているときに、前記タブが前記折った部分及び切れ目の反対側にある、請求項６に記載の医療用ドレッシング。
【請求項８】
第２及び第３のタブを更に含み、該第２及び第３のタブのそれぞれが、前記折った部分及び切れ目に対して垂直であり、かつ互いに反対側に位置する、請求項７に記載の医療用ドレッシング。